(57)【要約】【課題】電気ヒータ式の直貼り用床暖房フロア材として、簡単な製造手順で得ることができ、さらに、表面での温度ムラも発生しないものを得る。【解決手段】木質フロア基材１１と、木質フロア基材１１に一体に組み込まれた電気ヒータと、電気ヒータに接続するコネクタ１６，１７と、木質フロア基材１１の裏面に貼着した裏面板１０とを備えた直貼り式床暖房フロア材１０において、電気ヒータとして正温度係数特性（ＰＴＣ特性）を備えた感熱発熱線Ａを用い、感熱発熱線Ａを木質フロア基材１１の裏面に形成した凹溝１２内に埋設した状態で木質フロア基材１１に一体化する。【選択図】図１
2007032911.tif 000002
【特許請求の範囲】
【請求項１】
木質フロア基材と、木質フロア基材に一体に組み込まれた電気ヒータと、電気ヒータに接続するコネクタと、木質フロア基材の裏面に貼着した裏面板とを備えた直貼り式床暖房フロア材であって、電気ヒータとして感熱発熱線が用いられ、感熱発熱線は木質フロア基材の裏面に形成された凹溝内に埋設された状態で木質フロア基材に一体化されていることを特徴とする直貼り式床暖房フロア材。
【請求項２】
感熱発熱線を埋設するための凹溝は、隣接する凹溝同士がほぼ等しい間隔を保つようにして木質フロア基材の裏面の全面に形成されていることを特徴とする請求項１に記載の直貼り用床暖房フロア材。
【請求項３】
木質フロア基材は複数本の長尺状単位ピースを雁木状に組み付けて構成されており、感熱発熱線を埋設するための凹溝は、各長尺状単位ピースに連続するようにして形成されていることを特徴とする請求項１または２に記載の直貼り用床暖房フロア材。
【発明の詳細な説明】
【技術分野】
【０００１】
本発明は直貼り用床暖房フロア材に関し、特に、製造が容易でありかつ温度ムラのない均一な加熱状態を得ることのできる直貼り用床暖房フロア材に関する。
【背景技術】
【０００２】
電気式床暖房フロアを構成する直貼り用床暖房フロア材として、特許文献１に記載されるような、木質フロア基材と、木質フロア基材に一体に組み込まれた電気ヒータと、電気ヒータに接続するコネクタと、木質フロア基材の裏面に貼着した裏面板とを備えた直貼り式床暖房フロア材は知られている。従来、電気ヒータにはコード状ヒータが用いられており、コード状ヒータ自体にはサーモスタット機能がないことから、安全性確保の上から、直貼り用床暖房フロア材の内部にサーモスタットや温度ヒューズなどの過昇温防止装置を設けることが必要となっていた。
【０００３】
そのために、木質フロア基材内にそれようの空所領域を設け、その中に過昇温防止装置を収容するようにしているが、過昇温防止装置自体は発熱しないことから、床表面において、その領域が幾分低温領域となり温度ムラが生じることがあった。また、ＮＣ加工による木質フロア基材裏面への複雑な溝や空所領域の加工も必要であり、さらに、コード状ヒータと過昇温防止装置との間の複雑な結線作業も必要としていた。
【０００４】
一方、正温度係数特性（ＰＴＣ特性）を有する線状の発熱線が感熱発熱線として知られており、特許文献２等に開示されている。感熱発熱線は、正の抵抗温度係数を有する発熱体層を有しており、そこに電流が流れ温度が上昇すると、発熱体層の抵抗値が増加して発熱体層に流れる電流を減少させ、発熱体層の発熱を抑制し、逆に、発熱体層の温度が低下すると、発熱体層の抵抗値が減少して発熱体層に流れる電流を増加させ、発熱体層の発熱を高める機能を有している。そのために、サーモスタット等の過昇温防止装置を用いなくても、感熱発熱線は、長い時間にわたり所要の温度条件範囲を維持することができる利点がある。そして、特許文献３には、上記の正温度係数特性（ＰＴＣ特性）を持つ線状発熱線（感熱発熱線）を発熱源として床暖房フロアを構成することが一例として提案されている。
【０００５】
【特許文献１】特開２００１−９０９７２号公報
【特許文献２】特開平２００４−１８５９４７号公報
【特許文献３】特開２００３−３４３８６８号公報
【発明の開示】
【発明が解決しようとする課題】
【０００６】
本発明は、特許文献３に提案されているような感熱発熱線を熱源とする電気式床暖房フロアの構築を、より現実的なものとすることを目的としており、具体的には、そのための実用性に優れた直貼り用床暖房フロア材を提供することを目的とする。
【課題を解決するための手段】
【０００７】
本発明による直貼り用床暖房フロア材は、木質フロア基材と、木質フロア基材に一体に組み込まれた電気ヒータと、電気ヒータに接続するコネクタと、木質フロア基材の裏面に貼着した裏面板とを備えた直貼り式床暖房フロア材であって、電気ヒータとして感熱発熱線が用いられ、感熱発熱線は木質フロア基材の裏面に形成された凹溝内に埋設された状態で木質フロア基材に一体化されていることを特徴とする。
【０００８】
好ましくは、前記した感熱発熱線を埋設するための凹溝は、隣接する凹溝同士がほぼ等しい間隔を保つようにして木質フロア基材の裏面の全面に形成される。
【０００９】
前記したように、感熱発熱線はそれ自体が過昇温防止機能を備えており、直貼り式床暖房フロア材の中に、別途、過昇温防止手段を設けなくても、安全性は確保できる。そのために、木質フロア基材の裏面に過昇温防止手段を収容するための空間領域を加工する作業は必要なく、単に感熱発熱線を収容するための凹溝を加工するだけでよいので、溝加工は大きく簡素化する。また、ＮＣ加工等により木質フロア基材の裏面の全面に隣接する凹溝同士がほぼ等しい間隔を保つようにして凹溝加工を行うことも可能となると共に、その加工自体きわめて容易である。さらに、加工された凹溝内に感熱発熱線を埋め込み、両端にコネクタを接続するだけで、発熱源側の取り付け作業は完了するので、その作業も容易である。感熱発熱線の埋め込みを機械を用いて行うことも可能となる。
【００１０】
発熱源を埋め込んだ木質フロア基材の裏面に裏面板を取り付けることにより、本発明による直貼り用床暖房フロア材が完成する。感熱発熱線を含む発熱源全体が木質フロア基材の裏面に形成した凹溝内に入り込んでおり、かつ全体が裏面板により覆われているので、直貼り用床暖房フロア材はそれ自体きわめて安定したものであり、運搬時や床暖房施工時などでの取り扱いも、格別の注意を払うことなく行うこともできる。
【００１１】
床暖房フロアの施工に当たっては、コネクタ同士を接続しながら、直貼り用床暖房フロア材を必要枚数だけ床下地上に接着剤などを用いて直貼りしていくだけでよく、施工作業はきわめて容易である。また、直貼り用床暖房フロア材は内部にヒューズやサーモスタット等の過昇温防止装置を配置していないので、床表面に大きな領域の低温度部分は存在せず、温度ムラが生じることもない。さらに、感熱発熱線を埋設するための凹溝を、隣接する凹溝同士がほぼ等しい間隔を保つようにして木質フロア基材の裏面の全面に形成する場合には、直貼り用床暖房フロア材の表面温度を一層均一化することができ、床暖房フロア表面に温度ムラが生じるのを確実に排除することが可能となる。
【００１２】
なお、本発明による直貼り用床暖房フロア材を敷設する床下地面に特に制限はないが、コンクリート下地面、モルタル下地面、構造用合板下地面、パーティクルボードのような木質繊維板下地面などが挙げられる。
【００１３】
本発明において、木質フロア基材は、従来の電気式床暖房フロア材で用いられている木質フロア基材をすべて用いることができ、合板基材、ＭＤＦのような加工木質材基材、無垢材による基材など任意である。表面に、必要な場合には均熱板を貼り付け、その上に表面化粧材を貼り付けるようにしてもよい。また、木質フロア基材は１枚物であってもよく、複数本の長尺状単位ピースを雁木状に組み付けて構成したものでもよい。後者の場合には、感熱発熱線を埋設するための凹溝は、各長尺状単位ピースに連続するようにして形成される。
【００１４】
本発明において、裏面板は、従来の直貼り用床暖房床材または捨て貼り工法用床暖房床材における裏面板をそのまま用いることができ、合板であってもよく、それ相応の断熱性のあるＭＤＦ等の木質繊維板であってもよく、不織布などの緩衝材であってもよく、それらの積層体であってもよい。
【００１５】
本発明において、感熱発熱線は、正温度係数特性（ＰＴＣ特性）を備えた線状の感熱発熱体を適宜用いることができ、例えば、前記した特許文献２あるいは特許文献３などに記載されている従来知られた感熱発熱線をそのまま用いることができる。
【発明の効果】
【００１６】
本発明による直貼り用床暖房フロア材は、電気ヒータ式の直貼り用床暖房フロア材として、より簡単な構成のものであり、より簡単な製造手順で得ることができる。さらに、表面での温度ムラも発生しない。そのために、本発明による直貼り用床暖房フロア材を採用することにより、低コストでより快適な電気式床暖房フロアを構築することができる。
【発明を実施するための最良の形態】
【００１７】
以下、図面を参照しながら、本発明を実施の形態に基づき説明する。図１は本発明による直貼り用床暖房フロア材の一実施の形態を示す背面図であり、図２ａは図１でのａ−ａ線での断面図、図２ｂは図１でのｂ−ｂ線での断面図である。図３は本発明による直貼り用床暖房フロア材で用いる正温度係数特性（ＰＴＣ特性）を備えた感熱発熱線の一例を説明するための断面図である。
【００１８】
図１、図２に示すように、直貼り用床暖房フロア材１０は、合板などで作られた木質フロア基材１１を備える。木質フロア基材１１は一枚物であってもよく、図示するもののように、４周にサネ加工を施した複数本（図示のものでは４本）の長尺状単位ピース１１ａを雁木状に組み付けて構成してもよい。いずれにしても、木質フロア基材１１の周囲には雄実１２と雌実１３が形成され、隣接する直貼り式床暖房フロア材１０同士の接続を安定化している。
【００１９】
木質フロア基材１１の裏面には、４枚の長尺状単位ピース１１ａを連続するようにして凹溝１４が形成されている。好ましくは、凹溝１４は、図示されるように、隣接する凹溝同士がほぼ等しい間隔を保つようにして木質フロア基材の裏面の全面に形成される。形成した凹溝１４内には、発熱源である正温度係数特性（ＰＴＣ特性）を備えた感熱発熱線Ａが埋設されている。感熱発熱線Ａの両端には電源線１５を介して雄コネクタ１６と雌コネクタ１７が接続しており、各コネクタ１６，１７は、木質フロア基材１１の裏面に形成したそれぞれのコネクタ収容凹部１８，１９内に収容されている。この例において、雄コネクタ１６はコネクタ収容凹部１８内に引き出し可能な状態で収容されている。この場合、コネクタ収容凹部１８は大きな平面積を持つこととなるので、強度を確保するために、コネクタ収容凹部１８内には補強板２１（図２ｂ）が取り付けてある。
【００２０】
木質フロア基材１１の裏面には、その全面を覆うようにして裏面板２０が貼着されている。裏面板２０は、それ相応の断熱性を備えたＭＤＦ等の木質繊維板や合板であってもよく、不織布のような緩衝材でもよい。また、それらの積層体であってもよい。ＭＤＦ等の木質繊維板を裏面板として用いる場合は、１２ｍｍ厚程度の合板の上面に敷設する捨て貼り工法としても有効である。
【００２１】
図３は、本発明による直貼り式床暖房フロア材で使用する感熱発熱線Ａの一例を断面で示している。この感熱発熱線Ａは、線状電極１ａと１ｂを長手方向に一定の間隔を隔てて平行に配置し、この線状電極１ａと１ｂの軸方向外周全体を覆うように正の抵抗温度係数を有する発熱体層２を断面円形または楕円形状に押出成形し、さらに、この発熱体層２の外周に絶縁シース層３を押出被覆して短手方向の断面を円形または楕円形状に形成した構造を有する。
【００２２】
正の抵抗温度係数を有する発熱体層２は少なくとも熱可塑性樹脂および導電性粒子を含有しており、熱可塑性樹脂としては結晶性熱可塑性樹脂が好ましく、具体的には、ポリオレフィン樹脂及びその共重合樹脂、酢酸ビニル系樹脂、ポリアミド系樹脂、ポリアセタール樹脂、熱可塑性ポリエステル樹脂、ジエン系重合体、ポリフェニレンオキシド樹脂、ノニル樹脂、ポリスルフォン樹脂等を挙げることができる。分配配合される導電性粒子としては、例えば、カーボンブラック粒子、グラファイト粒子等の粒状物、鉄（Ｆｅ）、ニッケル（Ｎｉ）、プラチナ（Ｐｔ）、銅（Ｃｕ）、銀（Ａｇ）、金（Ａｕ）等の金属微粒子、金属粉体、金属酸化粉体等の粉状物、炭素繊維等の繊維状物、導電性無機材料（Ｉｎ―Ｓｎ―Ｏ等）、チタン酸バリウム（ＢａＴｉＯ３）、チタン酸ストロンチウム（ＳｒＴｉＯ３）等の正の抵抗温度係数を有する無機材料等を挙げることができる。
【００２３】
この感熱発熱線Ａにおいて、線状電極１ａと１ｂに通電することにより、発熱体層２に電流が流れ発熱する。正の抵抗温度係数を有する発熱体層２は、発熱体層２に電流が流れ、発熱体層２の温度が上昇すると、発熱体層２の抵抗値が増加して発熱体層２に流れる電流を減少させ、発熱体層２の発熱を抑制し、逆に、発熱体層２の温度が低下すると、発熱体層２の抵抗値が減少して発熱体層２に流れる電流を増加させ、発熱体層２の発熱を高める機能を有している。そのために、サーモスタット等の過昇温防止装置を用いなくても、感熱発熱線Ａは、長い時間にわたり所要の温度条件範囲を維持することができ、かつ温度分布も均一となる。
【００２４】
なお、発熱体層２と絶縁シース層３の間には、必要に応じ、バリア層４が介在されてもよい。バリア層４は例えばポリエステルテープを縦添えして形成される。さらに、好ましくは、発熱体層２の熱による経時的な劣化を防止し、長期間安定した発熱が具現されるように、一対の線状電極１ａと１ｂ間にポリエチレン樹脂等で形成される絶縁体障壁５を配置することも行われる。
【００２５】
上記した直貼り式床暖房フロア材１０の複数枚をコネクタ同士を接続しながら床下地上に敷設することにより、電気式床暖房フロアが形成される。直貼り式床暖房フロア材１０の発熱源は前記した感熱発熱線Ａであり、サーモスタット等の過昇温防止装置を組み込まなくても、単に通電を継続するだけで、電気式床暖房フロアとして一定の温度範囲を維持することができる。また、低温領域となりがちな過昇温防止装置が存在しないことから、フロア表面での温度ムラも発生することはない。
【００２６】
特に、図示のもののように、隣接する凹溝１４同士がほぼ等しい間隔を保つようにして木質フロア基材の裏面の全面に凹溝１４を形成する場合には、直貼り用床暖房フロア材１０の表面温度自体を均一化することができるので、床暖房フロア全体の表面温度を一層均一化することができる。
【図面の簡単な説明】
【００２７】
【図１】本発明による直貼り用床暖房フロア材の一実施の形態を示す背面図。
【図２】図２ａは、図１でのａ−ａ線での断面図、図２ｂは、図１でのｂ−ｂ線での断面図。
【図３】本発明による直貼り用床暖房フロア材で用いる正温度係数特性（ＰＴＣ特性）を備えた感熱発熱線の一例を説明するための断面図。
【符号の説明】
【００２８】
Ａ…正温度係数特性（ＰＴＣ特性）を備えた感熱発熱線、１ａ、１ｂ…線状電極、２…発熱体層、３…絶縁シース層、４…バリア層、１０…直貼り式床暖房フロア材、１１…木質フロア基材、１１ａ…長尺状単位ピース、１４…凹溝、１５…電源線、１６，１７…コネクタ、１８，１９…コネクタ収容凹部、２０…裏面板
【図１】
2007032911.tif 000003
【図２】
2007032911.tif 000004
【図３】
2007032911.tif 000005